(57)【要約】【課題】  目隠し性を保持しつつ風切音を低減する目隠しパネルを提供する。【解決手段】  矩形の平板２の全面にわたり、当該平板２を貫通する多数の貫通孔３が穿設された目隠しパネル１であって、前記貫通孔３は、前記平板２の各辺と平行な４辺を有する正方形孔５と、当該正方形孔５を４５°回転させた菱形孔４からなり、前記正方形孔５及び菱形孔４は、それぞれ前記平板２の各辺に平行な縦方向及び横方向に列をなして等間隔に穿設され、前記正方形孔５と前記菱形孔４が交互に、前記平板２の各辺に対し４５°傾斜した斜め格子形状を形成する。【選択図】        図１
2008063883.tif 000002
【特許請求の範囲】
【請求項１】
矩形の平板の全面にわたり、当該平板を貫通する多数の貫通孔が穿設された目隠しパネルであって、
前記貫通孔は、前記平板の各辺と平行な４辺を有する正方形孔と、当該正方形孔を４５°回転させた菱形孔からなり、
前記正方形孔及び菱形孔は、それぞれ前記平板の各辺に平行な縦方向及び横方向に列をなして等間隔に穿設され、
前記正方形孔と前記菱形孔が交互に、前記平板の各辺に対し４５°傾斜した斜め格子形状を形成することを特徴とする目隠しパネル。
【請求項２】
前記平板における、前記貫通孔が形成する縦列及び横列の最外列は、前記菱形孔の縦列及び横列であることを特徴とする請求項１に記載の目隠しパネル。
【請求項３】
前記貫通孔は１５ｍｍ〜２５ｍｍ角であり、隣り合う前記菱形孔間の距離は２５．７８ｍｍ〜４２．９４ｍｍであることを特徴とする請求項１又は２に記載の目隠しパネル。
【発明の詳細な説明】
【技術分野】
【０００１】
この発明は、バルコニー等に取付けられる多孔板からなる目隠しパネルに関するものである。
【背景技術】
【０００２】
高層の建物において、通風性と目隠し性を考慮してバルコニー等のフェンスに目隠しパネルが取付けられる。この目隠しパネルは、多孔板であり、その強度を考慮して金属製のパンチングパネルであることが好ましい。この目隠しパネルは、風切音が低減され、かつ、目隠し性が保持されることが必要である。
【０００３】
本願出願人は、このような観点から、パンチングパネルからなる目隠しパネルを開発し、出願した（特許文献１参照）。特許文献１では、平板に対して丸孔形状の貫通孔を形成した目隠しパネルや、平板の各辺と平行な４辺の正方形形状の貫通孔を形成した目隠しパネルでは、風切音が発生することを実験にて確認している。そこで、特許文献１では、菱形の貫通孔を形成した目隠しパネルを開示し、この目隠しパネルでは、風切音が発生しないことを実験にて確認している。
【０００４】
【特許文献１】特開２００５−９０１５９号公報
【発明の開示】
【発明が解決しようとする課題】
【０００５】
しかしながら、特許文献１の目隠しパネルは、平板の上下の辺を水平方向、左右の辺を鉛直方向として立て、正面から見たときに貫通孔が菱形形状になるようにして、風を当てて風切音を測定している。目隠しパネルをバルコニー等に取付けた場合、風は目隠しパネルの正面から吹きつけるとは限らず、斜め方向から吹きつけることもある。この斜めから風が吹きつけるとは、平板の各対角線を水平及び鉛直方向として、平板の鉛直方向に対して角度をつけて風が吹きつけることを示す。目隠しパネルは、このような斜めからの風が吹きつけたときの風切音も考慮する必要がある。
【０００６】
図１８及び図１９は貫通孔が菱形形状の目隠しパネルに対し、斜め方向から風を吹きつけたときの騒音レベルを示すグラフ図である。
【０００７】
グラフは、目隠しパネルの貫通孔を全て１５ｍｍ角の正方形を４５°回転させた菱形形状とし、所定の風速（8m/s〜20m/s）からなる風を、所定角度（平板表面に対して垂直方向を０°、平行方向を９０°とする）から吹きつけたものである。また、グラフ中の○印で示したＷは、風切音の発生を示し、その他の丸印は、暗騒音（実験室の音）であり、風切音を示すものではない。
【０００８】
グラフが示すように、風速８ｍ／ｓの弱い風速以外では、人が気になる程度のやや強い風切音が発生している。この現象は、風を斜めから吹きつけることにより、菱形形状の貫通孔が、風に対しては正方形形状となることから、正方形形状の貫通孔の目隠しパネルと風切音に対する特性が変わらなくなるためであると考えられる。
【０００９】
図２０は、貫通孔として対角線の長さが異なる菱形形状の目隠しパネルに対し、斜め方向から風を吹きつけたときの騒音レベルを示すグラフ図である。
【００１０】
グラフは、目隠しパネルの貫通孔として、対角線が１８ｍｍ及び１０ｍｍの菱形形状とし、それぞれの風速（8m/s〜14m/s）からなる風を、所定角度（平板表面に対して垂直方向を０°、平行方向を９０°とする）から吹きつけたものである。この場合においても、風速８ｍ／ｓや１０ｍ／ｓ以外の風速では、風切音が発生している。
【００１１】
以上からすると、特許文献１の目隠しパネルは、斜め方向から風が吹きつけたときには風切音が発生し、好ましいものではないことが実験で確認されたことになる。
【００１２】
この発明は前記従来技術を考慮したものであって、目隠し性を保持しつつ風切音を低減する目隠しパネルの提供を目的とするものである。
【課題を解決するための手段】
【００１３】
前記目的を達成するため、請求項１の発明では、矩形の平板の全面にわたり、当該平板を貫通する多数の貫通孔が穿設された目隠しパネルであって、前記貫通孔は、前記平板の各辺と平行な４辺を有する正方形孔と、当該正方形孔を４５°回転させた菱形孔からなり、前記正方形孔及び菱形孔は、それぞれ前記平板の各辺に平行な縦方向及び横方向に列をなして等間隔に穿設され、前記正方形孔と前記菱形孔が交互に、前記平板の各辺に対し４５°傾斜した斜め格子形状を形成することを特徴とする目隠しパネルを提供する。
【００１４】
請求項２の発明では、前記平板における、前記貫通孔が形成する縦列及び横列の最外列は、前記菱形孔の縦列及び横列であることを特徴としている。
【００１５】
請求項３の発明では、請求項１の発明において、前記貫通孔は１５ｍｍ〜２５ｍｍ角であり、隣り合う前記菱形孔間の距離は２５．７８ｍｍ〜４２．９４ｍｍであることを特徴としている。
【発明の効果】
【００１６】
請求項１の発明によれば、目隠し性を保持しつつ、貫通孔からの通風性を確保でき、さらに風がどの方向から吹き付けても人が気になる風切音が発生することのない目隠しパネルを得ることができる。
【００１７】
請求項２の発明によれば、貫通孔が形成する縦列及び横列の最外列を、菱形孔の縦列及び横列とすることにより、目隠し性を保持しつつ、貫通孔からの通風性を確保でき、さらに風がどの方向から吹き付けても人が気になる風切音が発生することのない目隠しパネルを得ることができる。
【００１８】
請求項３の発明によれば、貫通孔を１５ｍｍ〜２５ｍｍ角とし、隣り合う前記菱形孔間の距離を２５．７８ｍｍ〜４２．９４ｍｍとすることにより、目隠し性を保持しつつ、貫通孔からの通風性を確保でき、さらに風がどの方向から吹き付けても人が気になる風切音が確実に発生することのない目隠しパネルを得ることができる。
【発明を実施するための最良の形態】
【００１９】
この発明は、矩形の平板の全面にわたり、当該平板を貫通する多数の貫通孔が穿設された目隠しパネルであって、前記貫通孔は、前記平板の各辺と平行な４辺を有する正方形孔と、当該正方形孔を４５°回転させた菱形孔からなり、前記正方形孔及び菱形孔は、それぞれ前記平板の各辺に平行な縦方向及び横方向に列をなして等間隔に穿設され、前記正方形孔と前記菱形孔が交互に、前記平板の各辺に対し４５°傾斜した斜め格子形状を形成するため、目隠し性を保持しつつ、貫通孔からの通風性を確保でき、さらに風がどの方向から吹き付けても風切音が発生することのない目隠しパネルである。
【実施例１】
【００２０】
図１はこの発明に係る目隠しパネルの実施例１の概略構成図であり、（Ａ）は目隠しパネルの正面図、（Ｂ）は貫通孔の位置関係を示す拡大図である。
【００２１】
（Ａ）に示すように、この発明の目隠しパネル１は、金属製の平板２に多数の貫通孔３を穿設して形成される。すなわち、平板２は多孔板である。貫通孔３は、平板２の外周辺と平行な４辺を有する正方形孔５と、当該正方形孔を４５°回転させた菱形孔４からなる。この正方形孔５及び菱形孔４は、平板２の各辺に平行に等間隔に並べられて列（縦列と横列）を形成する。この菱形孔４と正方形孔５の縦列及び横列は、交互に並べられて形成される。このとき、正方形孔５は、菱形孔４の縦列かつ横列の中心の位置に形成される。すなわち、正方形孔５と菱形孔４が交互に、平板２の各辺に対して４５°傾斜した斜め格子状に形成される。また、貫通孔３の縦列及び横列の最外列、すなわち平板２の各辺の直近の列は、菱形孔の列である。なお、菱形孔４は正方形孔５に対して多少４５°からずれていたり、孔の大きさが異なっていてもよい。
【００２２】
図２〜図１０はこの発明に係る目隠しパネルの騒音レベルを示すグラフ図である。また、図１１はこの発明に係る目隠しパネルの騒音レベルを測定するときの状態を示す概略構成図である。
【００２３】
図１１の測定状態を先に説明すると、平板２を垂直に立てて真横から風を吹きつけたときを角度０°とし、平板２を水平に寝かせて真横から風を吹きつけたときを角度９０°とし、その間を４５°とする。この測定方法は、以下に示す実施例１及び実施例２の目隠しパネルの騒音レベルの測定に共通して用いたものである。
【００２４】
図２、図３は、平板２（図１参照）の各辺が水平及び鉛直方向となるように配置し、所定の風速（8m/s〜20m/s）からなる風を、所定角度（平板表面に対して垂直方向を０°、平行方向を９０°とする）から吹きつけたものである。すなわち、矩形の平板２をバルコニー等に取付けた場合に正面から風を吹きつけたものである。また、平板２は８００ｍｍ角の正方形のものを用い、貫通孔３（図１参照）は、１５ｍｍ角の正方形であり、隣り合う菱形孔４間の距離Ｄ（図１（Ｂ）参照）は、２５．７８ｍｍである。
【００２５】
なお、以下のグラフにおいて共通する事項として、グラフ中の○印で示したＷは、風切音の発生を示し、その他の丸印は、暗騒音（実験室の音）であり、風切音を示すものではない。
【００２６】
図２のグラフに示されるように、角度０°においては、いずれの風速においても、風切音の発生が確認されない。図３のグラフに示されるように、角度をつけて吹きつけた場合には、（Ａ）〜（Ｈ）のグラフにおいて風切音の発生が確認されるが、この風切音はいずれも人が気にならない程度の音である。この人が気にならない程度の音とは、音圧レベルの上昇が１５ｄＢ以下のものである。
【００２７】
図４、図５は、図２、図３と同じ目隠しパネルを用い、平板の各対角線が水平及び鉛直方向となるように配置して、所定の風速（8m/s〜20m/s）からなる風を、所定角度（平板表面に対して垂直方向を０°、平行方向を９０°とする）から吹きつけたものである。すなわち、矩形の平板２をバルコニー等に取付けた場合に斜め方向から風を吹きつけたものである。
【００２８】
図４のグラフに示されるように、角度０°においては、いずれの風速においても、風切音の発生が確認されない。図５のグラフに示されるように、角度をつけて吹きつけた場合には、（Ａ）の場合（風速14m/s、角度６９°）に、風切音の発生が確認されるが、この風切音は人が気にならない程度の音である。
【００２９】
図６〜図８は、平板２（図１参照）の各辺が水平及び鉛直方向となるように配置し、所定の風速（6m/s〜20m/s）からなる風を、所定角度（平板表面に対して垂直方向を０°、平行方向を９０°とする）から吹きつけたものである。また、平板２は８００ｍｍ角の正方形のものを用い、貫通孔３（図１参照）は、２５ｍｍ角の正方形であり、隣り合う菱形孔４間の距離Ｄ（図１（Ｂ）参照）は、４２．９４ｍｍである。
【００３０】
図６及び図７（Ａ）のグラフに示されるように、角度０°においては、いずれの風速においても、風切音の発生が確認されない。図７（Ｂ）〜（Ｇ）、図８のグラフに示されるように、角度をつけて吹きつけた場合には、図７（Ｃ）〜（Ｇ）及び図８（Ａ）〜（Ｆ）の場合に、風切音の発生が確認されるが、この風切音は人が気にならない程度の音である。
【００３１】
図９、図１０は、図６〜図８と同じ目隠しパネルを用い、平板の各対角線が水平及び鉛直方向となるように配置して、所定の風速（7m/s〜20m/s）からなる風を、所定角度（平板表面に対して垂直方向を０°、平行方向を９０°とする）から吹きつけたものである。
【００３２】
図９のグラフに示されるように、角度０°においては風切音の発生が確認されない。図１０のグラフに示されるように、角度をつけて吹きつけた場合には、（Ｃ）〜（Ｅ）の場合に、風切音の発生が確認されるが、この風切音は人が気にならない程度の音である。
【００３３】
以上の実験によると、この発明に係る目隠しパネルは、風切音が低減され、人が気にならない程度の風切音しか発生しないことが示される。また、図２〜図５で用いた貫通孔３が１５ｍｍ角のときの目隠しパネルの開口率は約１９．２％であり、図６〜図１０で用いた貫通孔３が２５ｍｍ角のときの目隠しパネルの開口率は約１７．７％であるため、目隠し性及び通風性を確保するにも最適な開口率である。したがって、この発明に係る目隠しパネルは、目隠し性を保持しつつ、貫通孔からの通風性を確保でき、さらに風がどの方向から吹き付けても人が気になる風切音が発生することがなく、従来よりも風切音が低減したものである。これは、この発明に係る目隠しパネル１が、貫通孔３の形状、配置により、斜めから風が吹きつけたときに対してその風を風切音が発生しないように乱すからである。
【実施例２】
【００３４】
図１２はこの発明に係る目隠しパネルの実施例２の概略構成図であり、（Ａ）は目隠しパネルの正面図、（Ｂ）は貫通孔の位置関係を示す拡大図である。
【００３５】
（Ａ）に示すように、本実施例の目隠しパネル６は、金属製の平板２に多数の貫通孔３を穿設して形成される。貫通孔３は、平板２の各辺と平行な４辺を有する正方形孔５と、当該正方形孔を４５°回転させた菱形孔４からなる。この正方形孔５及び菱形孔４は、平板２の各辺に平行に等間隔に並べられて列（縦列と横列）を形成する。この菱形孔４と正方形孔５の列は、交互に並べられて形成される。このとき、菱形孔４は、正方形孔５の縦列かつ横列の中心の位置に形成される。すなわち、正方形孔５と菱形孔４が交互に並べられて斜め格子状の目隠しパネル１が形成される。また、貫通孔３の縦列及び横列の最外列、すなわち平板２の各辺の直近の列は、正方形孔の列である。
【００３６】
換言すると、本実施例の目隠しパネル６は、実施例１の目隠しパネル１（図１参照）における貫通孔３の縦列及び横列の最外列、すなわち平板２の各辺の直近の列が、菱形孔４から正方形孔５の列に置き換わり、菱形孔４と正方形孔５を交互に穿設したものである。つまり、本実施例の目隠しパネル６は、実施例１の目隠しパネル１の正方形孔５と菱形孔４の位置を、逆に置き換えたものである。
【００３７】
図１３〜図１７はこの発明に係る別の目隠しパネルの騒音レベルを示すグラフ図である。
【００３８】
図１３、図１４は、平板２（図１１参照）の各辺が水平及び鉛直方向となるように配置し、所定の風速（8m/s〜20m/s）からなる風を、所定角度（平板表面に対して垂直方向を０°、平行方向を９０°とする）から吹きつけたものである。すなわち、矩形の平板２をバルコニー等に取付けた場合に正面から風を吹きつけたものである。また、平板２は８００ｍｍ角の正方形のものを用い、貫通孔３（図１２参照）は、１５ｍｍ角の正方形であり、隣り合う正方形孔５間の距離Ｅ（図１２（Ｂ）参照）は、３２ｍｍである。
【００３９】
図１３のグラフに示されるように、角度０°においては、いずれの風速においても、風切音の発生が確認されない。図１４のグラフに示されるように、角度をつけて吹きつけた場合には、（Ａ）〜（Ｇ）の場合に、風切音の発生が確認されるが、この風切音は人が気にならない程度の音である。
【００４０】
図１５〜図１７は、平板２（図１２参照）の各辺が水平及び鉛直方向となるように配置し、所定の風速（6m/s〜20m/s）からなる風を、所定角度（平板表面に対して垂直方向を０°、平行方向を９０°とする）から吹きつけたものである。すなわち、矩形の平板２をバルコニー等に取付けた場合に正面から風を吹きつけたものである。また、平板２は８００ｍｍ角の正方形のものを用い、貫通孔３（図１２参照）は、２５ｍｍ角の正方形であり、隣り合う正方形孔４間の距離Ｅ（図１２（Ｂ）参照）は５３．３ｍｍである。
【００４１】
図１５〜図１７のグラフに示されるように、角度０°においては、いずれの風速においても、風切音の発生が確認されない。図１６、図１７のグラフに示されるように、角度をつけて吹きつけた場合には、図１６（Ａ）〜（Ｅ）及び図１７（Ａ）〜（Ｆ）の場合に、風切音の発生が確認されるが、この風切音は人が気にならない程度の音である。
【図面の簡単な説明】
【００４２】
【図１】この発明に係る目隠しパネルの実施例１の概略構成図であり、（Ａ）は目隠しパネルの正面図、（Ｂ）は貫通孔の位置関係を示す拡大図である。
【図２】この発明に係る目隠しパネルの騒音レベルを示すグラフ図である。
【図３】この発明に係る目隠しパネルの騒音レベルを示すグラフ図である。
【図４】この発明に係る目隠しパネルの騒音レベルを示すグラフ図である。
【図５】この発明に係る目隠しパネルの騒音レベルを示すグラフ図である。
【図６】この発明に係る目隠しパネルの騒音レベルを示すグラフ図である。
【図７】この発明に係る目隠しパネルの騒音レベルを示すグラフ図である。
【図８】この発明に係る目隠しパネルの騒音レベルを示すグラフ図である。
【図９】この発明に係る目隠しパネルの騒音レベルを示すグラフ図である。
【図１０】この発明に係る目隠しパネルの騒音レベルを示すグラフ図である。
【図１１】この発明に係る目隠しパネルの騒音レベルを測定するときの状態を示す概略構成図である。
【図１２】この発明に係る目隠しパネルの実施例２の概略構成図であり、（Ａ）は目隠しパネルの正面図、（Ｂ）は貫通孔の位置関係を示す拡大図である。
【図１３】この発明に係る別の目隠しパネルの騒音レベルを示すグラフ図である。
【図１４】この発明に係る別の目隠しパネルの騒音レベルを示すグラフ図である。
【図１５】この発明に係る別の目隠しパネルの騒音レベルを示すグラフ図である。
【図１６】この発明に係る別の目隠しパネルの騒音レベルを示すグラフ図である。
【図１７】この発明に係る別の目隠しパネルの騒音レベルを示すグラフ図である。
【図１８】貫通孔が菱形形状の目隠しパネルに対し、斜め方向から風を吹きつけたときの騒音レベルを示すグラフ図である。
【図１９】貫通孔が菱形形状の目隠しパネルに対し、斜め方向から風を吹きつけたときの騒音レベルを示すグラフ図である。
【図２０】貫通孔として対角線の長さが異なる菱形形状の目隠しパネルに対し、斜め方向から風を吹きつけたときの騒音レベルを示すグラフ図である。
【符号の説明】
【００４３】
１：目隠しパネル、２：平板、３：貫通孔、４：菱形孔、５：正方形孔、６：目隠しパネル
【図１】
2008063883.tif 000003
【図２】
2008063883.tif 000004
【図３】
2008063883.tif 000005
【図４】
2008063883.tif 000006
【図５】
2008063883.tif 000007
【図６】
2008063883.tif 000008
【図７】
2008063883.tif 000009
【図８】
2008063883.tif 000010
【図９】
2008063883.tif 000011
【図１０】
2008063883.tif 000012
【図１１】
2008063883.tif 000013
【図１２】
2008063883.tif 000014
【図１３】
2008063883.tif 000015
【図１４】
2008063883.tif 000016
【図１５】
2008063883.tif 000017
【図１６】
2008063883.tif 000018
【図１７】
2008063883.tif 000019
【図１８】
2008063883.tif 000020
【図１９】
2008063883.tif 000021
【図２０】
2008063883.tif 000022